(57)【要約】【課題】画像の登録を受け付け、所定領域にある特定ユーザの端末へ登録画像を配信し、所定領域にある一般ユーザの端末へは、登録画像に関連する情報を配信する。【解決手段】画像管理サーバ２は、事故又は事件の発生日時、発生場所、及び現場を撮影した撮影画像を含む事故・事件情報を格納する記憶部２１と、移動端末１から現在位置情報を受信し、前記事故又は事件の発生場所を含む所定領域内に前記移動端末が位置しているか否か判定する位置判定部２０２と、前記移動端末の所有者が特定ユーザである場合、前記撮影画像を含む詳細事故情報を有する配信データを作成し、前記移動端末の所有者が一般ユーザである場合、前記撮影画像を含まない簡易事故情報を有する配信データを作成する配信データ作成部２０４と、前記配信データを前記所定領域内に位置する前記移動端末へ送信する送信部２０５と、を備える。【選択図】図１
2019086904.tif 000002
【特許請求の範囲】
【請求項１】
撮影画像及び撮影が行われた場所の情報を格納する記憶部と、
移動端末から現在位置情報を受信し、前記現在位置情報に基づいて、前記撮影が行われた場所を含む所定領域内に前記移動端末が位置しているか否か判定する位置判定部と、
前記移動端末の所有者が特定ユーザか、又は一般ユーザかを判定するユーザ判定部と、
前記移動端末の所有者が前記特定ユーザである場合、前記撮影画像を含む詳細情報を有する配信データを作成し、前記移動端末の所有者が前記一般ユーザである場合、前記撮影画像を含まない簡易情報を有する配信データを作成する配信データ作成部と、
前記配信データを前記所定領域内に位置する前記移動端末へ送信する送信部と、
を備える画像管理サーバ。
【請求項２】
前記記憶部は、事故又は事件の発生日時、発生場所、及び現場を撮影した撮影画像を含む事故・事件情報を格納し、
前記配信データ作成部は、前記移動端末の所有者が前記特定ユーザである場合、前記事故・事件情報に基づいて、前記撮影画像を含む詳細情報を有する配信データを作成し、前記移動端末の所有者が前記一般ユーザである場合、前記撮影画像を含まない、前記事故又は事件の簡易情報を有する配信データを作成することを特徴とする請求項１に記載の画像管理サーバ。
【請求項３】
前記位置判定部は、前記移動端末から受信した現在位置情報と、前記撮影画像に含まれる撮影場所位置情報とを比較することを特徴とする請求項２に記載の画像管理サーバ。
【請求項４】
前記記憶部は、事故又は事件の種類に応じたイラスト画像を格納し、
前記配信データ作成部は、前記イラスト画像を用いて前記簡易情報を有する配信データを作成することを特徴とする請求項２又は３に記載の画像管理サーバ。
【請求項５】
撮影画像及び撮影が行われた場所の情報の登録を受け付ける工程と、
移動端末から現在位置情報を受信する工程と、
前記現在位置情報に基づいて、前記撮影が行われた場所を含む所定領域内に前記移動端末が位置しているか否か判定する工程と、
前記移動端末の所有者が特定ユーザか、又は一般ユーザかを判定する工程と、
前記移動端末の所有者が前記特定ユーザである場合、前記撮影画像を含む詳細情報を有する配信データを作成し、前記移動端末の所有者が前記一般ユーザである場合、前記撮影画像を含まない簡易情報を有する配信データを作成する工程と、
前記配信データを前記所定領域内に位置する前記移動端末へ送信する工程と、
を画像管理サーバが実行することを特徴とする画像管理方法。
【発明の詳細な説明】
【技術分野】
【０００１】
本発明は、画像管理サーバ及び画像管理方法に関する。
【背景技術】
【０００２】
スマートフォンやタブレット端末等の携帯端末で撮影した画像をサーバに登録し、管理することが行われている。ユーザが、携帯端末を用いてサーバにアクセスし、登録されている画像の中から任意の画像を選択すると、サーバは、選択された画像を携帯端末に対して配信する。従来の画像管理システムでは、ユーザＩＤやパスワードを入力して正規ユーザであることが認証されれば、画像登録や画像閲覧を自由に行うことができた。
【０００３】
サーバへの画像登録やサーバによる画像配信を利用した新たなサービス展開が求められている。
【先行技術文献】
【特許文献】
【０００４】
【特許文献１】特開２０１５−２０１０８２号公報
【発明の概要】
【発明が解決しようとする課題】
【０００５】
本発明は、画像の登録を受け付け、所定領域にある特定ユーザの端末へ登録画像を配信し、所定領域にある一般ユーザの端末へは、登録画像に関連する情報を配信する画像管理サーバ及び画像管理方法を提供することを目的とする。
【課題を解決するための手段】
【０００６】
本発明の画像管理サーバは、撮影画像及び撮影が行われた場所の情報を格納する記憶部と、移動端末から現在位置情報を受信し、前記現在位置情報に基づいて、前記撮影が行われた場所を含む所定領域内に前記移動端末が位置しているか否か判定する位置判定部と、前記移動端末の所有者が特定ユーザか、又は一般ユーザかを判定するユーザ判定部と、前記移動端末の所有者が前記特定ユーザである場合、前記撮影画像を含む詳細情報を有する配信データを作成し、前記移動端末の所有者が前記一般ユーザである場合、前記撮影画像を含まない簡易情報を有する配信データを作成する配信データ作成部と、前記配信データを前記所定領域内に位置する前記移動端末へ送信する送信部と、を備えるものである。
【０００７】
本発明の一態様では、前記記憶部は、事故又は事件の発生日時、発生場所、及び現場を撮影した撮影画像を含む事故・事件情報を格納し、前記配信データ作成部は、前記移動端末の所有者が前記特定ユーザである場合、前記事故・事件情報に基づいて、前記撮影画像を含む詳細情報を有する配信データを作成し、前記移動端末の所有者が前記一般ユーザである場合、前記撮影画像を含まない、前記事故又は事件の簡易情報を有する配信データを作成する。
【０００８】
本発明の一態様では、前記位置判定部は、前記移動端末から受信した現在位置情報と、前記撮影画像に含まれる撮影場所位置情報とを比較する。
【０００９】
本発明の一態様では、前記記憶部は、事故又は事件の種類に応じたイラスト画像を格納し、前記配信データ作成部は、前記イラスト画像を用いて前記簡易情報を有する配信データを作成する。
【００１０】
本発明の画像管理方法は、撮影画像及び撮影が行われた場所の情報の登録を受け付ける工程と、移動端末から現在位置情報を受信する工程と、前記現在位置情報に基づいて、前記撮影が行われた場所を含む所定領域内に前記移動端末が位置しているか否か判定する工程と、前記移動端末の所有者が特定ユーザか、又は一般ユーザかを判定する工程と、前記移動端末の所有者が前記特定ユーザである場合、前記撮影画像を含む詳細情報を有する配信データを作成し、前記移動端末の所有者が前記一般ユーザである場合、前記撮影画像を含まない簡易情報を有する配信データを作成する工程と、前記配信データを前記所定領域内に位置する前記移動端末へ送信する工程と、を画像管理サーバが実行するものである。
【発明の効果】
【００１１】
本発明によれば、画像の登録を受け付け、所定領域にある特定ユーザの端末へ登録画像を配信し、所定領域にある一般ユーザの端末へは、登録画像に関連する情報を配信できる。
【図面の簡単な説明】
【００１２】
【図１】本発明の実施形態に係る画像管理システムの概略図である。
【図２】特定ユーザの移動端末に配信される情報の例を示す図である。
【図３】一般ユーザの移動端末に配信される情報の例を示す図である。
【図４】画像管理サーバのハードウェア構成図である。
【図５】画像管理サーバの機能構成を示すブロック図である。
【図６】移動端末のハードウェア構成を示すブロック図である。
【図７】移動端末の機能構成を示すブロック図である。
【図８】同実施形態に係る画像管理方法を説明するフローチャートである。
【発明を実施するための形態】
【００１３】
図１は本発明の実施の形態に係る画像管理システムの概略図である。画像管理システムは、端末１（１Ａ，１Ｂ）、画像管理サーバ２、及び登録端末３を備える。端末１は、例えばスマートフォンやタブレット端末、車両に設置されたカーナビゲーションシステム等の移動端末である。
【００１４】
端末１Ａは警察官等の特定ユーザが所有するものであり、端末１Ｂは一般ユーザ（一般生活者）が所有するものである。画像管理サーバ２には、交通事故の発生日時、発生場所、現場写真等の撮影画像、現場見取図、事故種類等の事故情報が格納されている。事故種類は、例えば、車対車、車対自転車、車対人、自転車対自転車、自転車対人などの当事者情報である。画像管理サーバ２への事故情報の登録には、警察署等に設置された登録端末３が用いられる。
【００１５】
警察官が携帯する又はパトカーに設置された端末１Ａが過去（例えば直近１ヶ月以内）に交通事故が発生した場所又はその近辺に位置している場合、画像管理サーバ２は、この場所で発生した交通事故の詳細情報を端末１Ａに配信する。詳細情報は、例えば、発生日時、発生場所、撮影画像、現場見取図等である。
【００１６】
端末１Ａは、画像管理サーバ２から受信した詳細事故情報を表示する。例えば、図２に示すような詳細事故情報が表示される。ボタンＢ１，Ｂ２を押すことで、事故を起こした車両の車種等の情報が表示される。ボタンＢ３を押すことで、現場検証を行った警察官が作成した事故現場見取図が表示される。ボタンＢ４を押すことで、デジタルカメラ等の撮影機器で撮影された事故当時の現場写真が表示される。ボタンＢ１〜Ｂ４を押すことでページが切り替わってもよいし、画面がスクロールしてもよい。
【００１７】
端末１Ａに詳細事故情報が自動で表示されることで、例えばパトロール中の警察官は、現在地又はその周辺で最近事故が発生したことを知ることができる。警察官は、詳細事故情報を確認し、同様の事故が発生しないように、周囲の車両や通行人に対し、注意を促すことができる。
【００１８】
一般ユーザが所有する端末１Ｂが過去（例えば直近１ヶ月以内）に交通事故が発生した場所又はその近辺に位置している場合、画像管理サーバ２は、この場所で交通事故が発生したことを報知する簡易事故情報を端末１Ｂに配信する。
【００１９】
端末１Ｂは、画像管理サーバ２から受信した簡易事故情報を表示する。例えば、図３に示すような、事故発生日、事故発生件数、及び発生した事故のイラスト画像等が表示される。端末１Ｂに簡易情報が自動で表示されることで、一般ユーザは、現在地又はその周辺で最近事故が発生したことを知ることができる。また、イラストにより、事故が発生した場所であることを容易に理解することができる。一般ユーザは、事故が発生し易い場所であることを考慮し、運転や歩行に慎重になり、事故の防止につなげることができる。
【００２０】
図４は、画像管理サーバ２の概略構成を示す。画像管理サーバ２は、ＣＰＵ２０（演算制御部）、記憶部２１、及び通信部２２を有するコンピュータである。記憶部２１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等の組み合わせであり、事故情報管理プログラムを記憶する。
【００２１】
ＣＰＵ２０が事故情報管理プログラムを実行することで、図５に示すように、登録受付部２０１、位置判定部２０２、ユーザ判定部２０３、画像データ作成部２０４、及び送信部２０５が実現され、記憶部２１に事故情報記憶領域２１１、ユーザ情報記憶領域２１２、及びイラスト記憶領域２１３が生成される。
【００２２】
登録受付部２０１は、通信部２２を介して、登録端末３から事故情報の登録を受け付ける。事故情報は、発生日時、発生場所の住所、撮影画像（現場写真）、現場見取図、事故種類等を含み、事故毎に、事故情報記憶領域２１１に格納される。
【００２３】
各事故情報には、位置情報が対応付けられている。位置情報は、事故情報に含まれる発生場所住所でもよいし、撮影画像がＥｘｉｆ（登録商標）（Exchangeable  Image  File  Format）に準拠した形式の場合は、画像ファイルに含まれるＧＰＳ情報でもよい。
【００２４】
位置判定部２０２は、通信部２２を介して、端末１（１Ａ，１Ｂ）から位置情報を取得し、事故情報に対応付けられた位置情報と一致するか否か判定する。端末１から取得した位置情報が示す位置と、事故情報に対応付けられた位置情報が示す位置との間隔が所定値以下である場合に、位置情報が一致すると判定する。
【００２５】
位置判定部２０２は、位置情報を比較する事故情報の対象を、事故発生日に基づいて限定してもよい。例えば、位置判定部２０２は、直近１ヶ月以内に発生した事故に対応する事故情報の位置情報と、端末１から取得した位置情報とを比較する。あるいはまた、事故発生から一定期間経過した事故情報を事故情報記憶領域２１１から消去するようにしてもよい。これにより、一定期間内に発生した事故の事故情報だけが検索対象となる。
【００２６】
位置判定部２０２は、端末１から位置情報を取得する際に、端末１を所有するユーザの識別情報も取得する。識別情報は、端末１にインストールされているアプリケーションプログラム（後述する事故情報取得プログラム）のアプリＩＤでもよいし、端末１の個体識別番号でもよい。
【００２７】
ユーザ情報記憶領域２１２には、特定ユーザの識別情報と、一般ユーザの識別情報とが格納されている。
【００２８】
ユーザ判定部２０３は、ユーザ情報記憶領域２１２に格納されている情報を参照し、位置情報を取得した端末１を所有するユーザが特定ユーザであるか、又は一般ユーザであるかを判定する。
【００２９】
イラスト記憶領域２１３には、事故種類毎のイラスト画像が格納されている。
【００３０】
配信データ作成部２０４は、位置判定部２０２が、端末１から取得した位置情報と事故情報に対応付けられた位置情報とが一致すると判定した場合に、端末１へ配信するデータを作成する。
【００３１】
配信データ作成部２０４は、端末１を所有するユーザが特定ユーザである場合、事故情報記憶領域２１１から、位置情報が一致した事故情報を取り出し、発生日時、発生場所、撮影画像、現場見取図等の詳細事故情報を含む配信データを作成する。
【００３２】
位置情報が一致した事故情報が複数ある場合、配信データ作成部２０４は、複数の事故についての詳細事故情報を含む配信データを作成する。
【００３３】
配信データ作成部２０４は、端末１を所有するユーザが一般ユーザである場合、イラスト記憶領域２１３から、位置情報が一致した事故情報の事故種類に対応するイラスト画像を取り出す。配信データ作成部２０４は、イラスト画像、事故発生日、事故発生件数等の簡易事故情報を含む配信データを作成する。簡易事故情報には、撮影画像は含まれない。
【００３４】
送信部２０５は、通信部２２を介して、配信データ作成部２０４が作成した配信データを、端末１へ送信する。例えば、詳細事故情報を含む配信データが特定ユーザの端末１Ａへ送信され、簡易事故情報を含む配信データが一般ユーザの端末１Ｂへ送信される。
【００３５】
図６は端末１のハードウェア構成例を示す。端末１は、ＣＰＵ１０、記憶部１１、操作表示部１２、ＧＰＳ受信部１３、及び通信部１４を有する。
【００３６】
記憶部１１は、フラッシュメモリ、ＲＯＭ、ＲＡＭ等の組み合わせであり、事故情報取得プログラムを記憶する。事故情報取得プログラムは、例えばインターネット上のウェブサイトからダウンロードして、端末１に予めインストールされている。
【００３７】
操作表示部１２は、各種情報を表示すると共に、ユーザからの操作を受け付ける。例えば、操作表示部１２はタッチパネルである。
【００３８】
ＧＰＳ受信部１３は、ＧＰＳ衛星から発せられる電波を受信し、ＧＰＳ情報に基づいて、携帯端末１が存在する現在地の位置情報（緯度及び経度）を取得する。
【００３９】
通信部１４は、インターネット等を介して、画像管理サーバ２と通信を行う。
【００４０】
ＣＰＵ１０が事故情報取得プログラムを実行することで、図７に示すように、位置情報送信部１０１、事故情報受信部１０２、及び表示処理部１０３が実現される。
【００４１】
位置情報送信部１０１は、通信部１４を介して、ＧＰＳ受信部１３が取得した端末１の位置情報を、所定の時間間隔で、画像管理サーバ２へ送信する。
【００４２】
事故情報受信部１０２は、画像管理サーバ２から、詳細事故情報又は簡易事故情報を含むデータを受信する。表示処理部１０３は、画像管理サーバ２から受信した事故情報を操作表示部１２に表示する。
【００４３】
次に、図８に示すフローチャートを用いて、本実施形態による画像管理方法を説明する。
【００４４】
交通事故が発生すると、警察官が現場検証を行い、デジタルカメラ等で現場写真を撮影する。現場検証を終えた警察官は、警察署に戻り、登録端末３に事故に関する情報や撮影画像等の事故情報を入力する。入力された事故情報は、画像管理サーバ２に登録される（ステップＳ１）。画像管理サーバ２は、事故情報に含まれる発生場所の住所や、撮影画像に含まれるＧＰＳ情報に基づく位置情報を、事故情報に対応付けて保存する。
【００４５】
画像管理サーバ２は、警察関係者等の特定ユーザが所有する端末１Ａや、一般ユーザが所有する端末１Ｂから、端末位置情報を定期的に受信し、事故情報に対応付けられた位置情報と一致するか、すなわち、端末１（１Ａ，１Ｂ）が、事故情報に対応付けられた位置情報が示す位置を中心とした所定領域内にいるか否かを判定する（ステップＳ２）。
【００４６】
端末１が所定領域内にある場合、画像管理サーバ２は端末１の所有者が警察関係者等の特定ユーザであるか、又は一般ユーザであるかを判定する（ステップＳ３）。
【００４７】
端末１の所有者が特定ユーザである場合、画像管理サーバ２は、端末位置情報と一致する位置情報に対応する事故情報を用いて、撮影画像等を含む詳細事故情報からなる配信データを作成する（ステップＳ４）。
【００４８】
端末１の所有者が一般ユーザである場合、画像管理サーバ２は、端末位置情報と一致する位置情報に対応する事故情報を参照して、イラストを含む簡易事故情報からなる配信データを作成する（ステップＳ５）。
【００４９】
画像管理サーバ２は、配信データを端末１へ送信する（ステップＳ６）。例えば、画像管理サーバ２は、詳細事故情報からなる配信データを特定ユーザが所有する端末１Ａへ送信したり、簡易事故情報からなる配信データを一般ユーザが所有する端末１Ｂへ送信したりする。
【００５０】
端末１は、画像管理サーバ２から受信した事故情報を表示する（ステップＳ７。図２、図３参照）。
【００５１】
これにより、例えば、事故発生場所の近辺にいる警察官の端末１Ａに詳細事故情報が表示され、一般ユーザの端末１Ｂに簡易事故情報が表示される。警察官は、詳細事故情報を確認し、同様の事故が再発しないように、周囲の車両や通行人の動きを注視する。一般ユーザは、簡易事故情報を確認し、事故が起きやすい場所であることを認識して、慎重に運転したり歩行したりする。
【００５２】
上記実施形態では、簡易事故情報は、事故発生日、事故発生件数、及びイラスト画像を含む例について説明したが、事故が発生した時間帯や天候の情報を含んでいてもよい。一般ユーザは、現在の時刻や天候と、事故発生時の時間帯や天候とを比較し、事故が起きやすい状況にあるか否かをさらに正確に判断できる。
【００５３】
画像管理サーバ２は、現在時刻や現在の天候の情報を収集し、事故が発生した時間帯や天候と比較して、端末１が事故発生場所近辺に位置し、かつ、時間帯や天候が一致した場合に、詳細事故情報又は簡易事故情報を端末１に配信するようにしてもよい。
【００５４】
上記実施形態では、交通事故に関する情報を画像管理サーバ２に登録し、端末１に配信する例について説明したが、事故に関する情報には限定されず、空き巣、強盗、ひったくり、車上荒らし等の事件（犯罪）情報の登録・配信を行ってもよい。イラスト記憶領域２１３には、事件の種類に応じたイラスト画像が格納される。
【００５５】
この場合も、警察官の端末１Ａには撮影画像（現場写真）を含む事件の詳細情報が配信され、一般ユーザの端末１Ｂには撮影画像を含まない（イラストを含む）簡易情報が配信される。例えば警察官は、詳細情報を確認し、より厳重にパトロールを行い、犯罪を抑制する。一般ユーザは、犯罪が発生しやすい場所であることを知ることができ、周囲の状況に注意を払いながら行動し、犯罪に巻き込まれるリスクを下げることができる。
【００５６】
登録端末３は、警察署等に設置され、事故や事件に関する情報を画像管理サーバ２に登録するものに限定されない。例えば、登録端末３を警備会社に設置し、警備対象の建物内で、過去に不審者が発見された場所や、不正侵入があった場所の撮影画像（現場写真）を含む詳細情報を、特定ユーザとしての警備員が所有する端末１Ａに配信する。警備対象の建物を訪れた一般ユーザの端末１Ｂには、暗い場所であるため、注意が必要であることを促す、撮影画像を含まない（イラストを含む）簡易情報を配信する。
【００５７】
また、登録端末３を工事の管理会社に設置し、工事中の危険箇所を撮影した画像（現場写真）を登録してもよい。工事現場の監督者、警備員、交通整理員等の特定ユーザが所有する端末１Ａには、現場写真を含む、具体的な危険箇所を知らせる詳細情報を配信する。工事現場の近くを通過する一般ユーザの端末１Ｂには、危険箇所があることをイラストで報知する簡易情報を配信する。
【００５８】
上記説明は本発明の一例であり、本発明は上記以外の形態とされてもよい。
【符号の説明】
【００５９】
１  端末
２  画像管理サーバ
３  登録端末
【図１】
2019086904.tif 000003
【図２】
2019086904.tif 000004
【図３】
2019086904.tif 000005
【図４】
2019086904.tif 000006
【図５】
2019086904.tif 000007
【図６】
2019086904.tif 000008
【図７】
2019086904.tif 000009
【図８】
2019086904.tif 000010